(57)【要約】【課題】設置スペースを少なくでき、かつユーザの利便性の向上と、サービスの利用の拡大を図る。【解決手段】自動車ＭＳ１〜ＭＳ３にそれぞれ搭載された通信端末１００Ａを使用して、ＤＳＲＣ方式の通信を行うための無線エリアＥを介してソフトウェア情報のダウンロード要求を行うだけで、サーバＳＶから基地局ＢＳ経由で要求元の通信端末１００Ａへとソフトウェア情報がダウンロードされる。【選択図】    図１
2004153658.tif 000002
【特許請求の範囲】
【請求項１】
送信装置から移動体に搭載される受信端末へ、前記受信端末の機能に係わるソフトウェア情報を伝送するソフトウェア情報伝送システムであって、
前記送信装置は、前記ソフトウェア情報の機能を前記受信端末にて識別するために必要な機能識別情報、前記ソフトウェア情報について一部情報／全情報を表すソフトウェア識別情報を含むヘッダ領域と、伝送すべき前記ソフトウェア情報を含む情報領域とを備えたパケット構造のダウンロードデータを前記受信端末へ伝送するようにしたことを特徴とするソフトウェア情報伝送システム。
【請求項２】
前記送信装置は、ＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局であり、
前記基地局は、前記無線通信エリア内に位置する前記受信端末からの要求に応じて、前記ダウンロードデータを要求元の受信端末へ伝送することを特徴とする請求項１記載のソフトウェア情報伝送システム。
【請求項３】
前記送信装置は、前記受信端末へ放送信号を送信する放送局であり、
前記放送局は、前記ダウンロードデータのヘッダ領域に、該ヘッダを識別するためのヘッダ識別情報、該ダウンロードデータのパケット総数を表すデータグループ情報をさらに付加し、かつ該ダウンロードデータを前記放送信号に多重して前記受信端末へ送信することを特徴とする請求項１記載のソフトウェア情報伝送システム。
【請求項４】
前記送信装置として、ＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局と、前記受信端末へ放送信号を送信する放送局とを備え、
前記受信端末は、所定の条件に従って、前記基地局から送信されるダウンロードデータを取得する第１の取得モード、及び前記放送局から送信され、前記ヘッダ領域に該ヘッダを識別するためのヘッダ識別情報、該ダウンロードデータのパケット総数を表すデータグループ情報をさらに付加したダウンロードデータを取得する第２の取得モードのうちの一方を選択的に実行することを特徴とする請求項１記載のソフトウェア情報伝送システム。
【請求項５】
送信装置から移動体に搭載される受信端末へ、前記受信端末の機能に係わるソフトウェア情報を伝送するソフトウェア情報伝送方法であって、
前記送信装置から前記受信端末へ、前記ソフトウェア情報の機能を前記受信端末にて識別するために必要な機能識別情報、前記ソフトウェア情報について一部情報／全情報を表すソフトウェア識別情報を含むヘッダ領域と、伝送すべき前記ソフトウェア情報を含む情報領域とを備えたパケット構造のダウンロードデータを伝送するようにしたことを特徴とするソフトウェア情報伝送方法。
【請求項６】
前記送信装置がＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局である場合に、
前記無線通信エリア内で、前記通信端末から前記基地局へ、前記ソフトウェア情報のダウンロード要求を伝送し、
前記通信端末から伝送されたダウンロード要求に応じて、前記ダウンロードデータを前記基地局から要求元の通信端末へ伝送することを特徴とする請求項５記載のソフトウェア情報伝送方法。
【請求項７】
前記送信装置は、前記受信端末へ放送信号を送信する放送局である場合に、
前記放送局において、前記ダウンロードデータのヘッダ領域に、該ヘッダを識別するためのヘッダ識別情報、該ダウンロードデータのパケット総数を表すデータグループ情報をさらに付加し、
前記放送局から前記受信端末へ、前記ヘッダ識別情報及びデータグループ情報を付加したダウンロードデータを伝送するようにしたことを特徴とする請求項５記載のソフトウェア情報伝送方法。
【請求項８】
前記送信装置として、ＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局と、前記受信端末へ放送信号を送信する放送局とを備える場合に、
前記受信端末において、所定の条件に従って、前記基地局から送信されるダウンロードデータを取得する第１の取得モード、及び前記放送局から送信され、前記ヘッダ領域に該ヘッダを識別するためのヘッダ識別情報、該ダウンロードデータのパケット総数を表すデータグループ情報をさらに付加したダウンロードデータを取得する第２の取得モードのうちの一方を選択的に指定し、
前記第１の取得モード指定時に、前記受信端末から前記基地局へ、前記ソフトウェア情報のダウンロード要求を伝送し、
前記通信端末から伝送されたダウンロード要求に応じて、前記ダウンロードデータを前記基地局から要求元の受信端末へ伝送し、
前記受信端末において、前記第２の取得モード指定時に、前記放送局からのダウンロードデータを受信することを特徴とする請求項５記載のソフトウェア情報伝送方法。
【請求項９】
送信装置から移動体に搭載される受信端末へ、前記受信端末の機能に係わるソフトウェア情報を伝送するソフトウェア情報伝送システムで使用される受信端末であって、
前記送信装置にて、前記ソフトウェア情報の機能を前記受信端末にて識別するために必要な機能識別情報、前記ソフトウェア情報について一部情報／全情報を表すソフトウェア識別情報を含むヘッダ領域と、伝送すべき前記ソフトウェア情報を含む情報領域とを備えたパケット構造のダウンロードデータを前記受信端末へ伝送するとき、
前記送信装置から到来するダウンロードデータを受信する受信手段を備え、
前記機能識別情報及び前記ソフトウェア識別情報をもとに、受信したダウンロードデータからソフトウェア情報を抽出し、このソフトウェア情報を機能の一部として組み込むことを特徴とする受信端末。
【請求項１０】
前記送信装置がＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局であるとき、
前記基地局へ、前記ソフトウェア情報のダウンロード要求を送信するダウンロード要求送信手段をさらに備え、
前記受信手段は、ダウンロード要求に対する、前記基地局からのダウンロードデータを受信することを特徴とする請求項９記載の受信端末。
【請求項１１】
前記送信装置は、前記受信端末へ放送信号を送信する放送局であるとき、
前記受信手段は、放送局から前記放送信号に多重して放送され、ヘッダ領域に、該ヘッダを識別するためのヘッダ識別情報、該ダウンロードデータのパケット総数を表すデータグループ情報をさらに付加したダウンロードデータを受信することを特徴とする請求項９記載の受信端末。
【請求項１２】
前記送信装置として、ＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局と、前記受信端末へ放送信号を送信する放送局とを備えるとき、
所定の条件に従って、前記基地局から送信されるダウンロードデータを取得する第１の取得モード、及び前記放送局から送信され、前記ヘッダ領域に該ヘッダを識別するためのヘッダ識別情報、該ダウンロードデータのパケット総数を表すデータグループ情報をさらに付加したダウンロードデータを取得する第２の取得モードのうちの一方を選択的に指定するモード指定制御手段と、
前記第１の取得モード指定時に、前記基地局へ、前記ソフトウェア情報のダウンロード要求を送信するダウンロード要求送信手段と、
前記ダウンロード要求に対する、前記ダウンロードデータを前記基地局から受信する第１の受信手段と、
前記第２の取得モード指定時に、前記放送局からのダウンロードデータを受信する第２の受信手段とを具備したことを特徴とする請求項９記載の通信端末。
【請求項１３】
前記基地局からのダウンロードデータに、該データの誤り訂正を行うための訂正情報が付加されている場合に、
前記訂正情報に基づいて、前記ソフトウェア情報のダウンロードの誤りを判定する誤り判定手段と、
この誤り判定手段により誤りが判定された場合に、ダウンロードデータの送信元に対し前記ソフトウェア情報のダウンロード要求を再送するダウンロード要求再送手段と、
このダウンロード要求再送手段により再送したダウンロード要求に対しダウンロードされるソフトウェア情報を受信する受信制御手段とをさらに具備したことを特徴とする請求項１０または１２記載の受信端末。
【請求項１４】
前記モード指定制御手段は、前記所定の条件に、測位衛星信号を用いることを特徴とする請求項１２記載の受信端末。
【請求項１５】
前記モード指定制御手段は、前記所定の条件に、前記放送局から放送される番組を用いることを特徴とする請求項１２記載の受信端末。
【発明の詳細な説明】
【０００１】
【発明の属する技術分野】
この発明は、移動体を利用した無線通信システムにおいて、移動体に搭載された受信端末が固有に使用するソフトウェアを、例えばインターネット上のサーバから受信端末にダウンロードするソフトウェア情報伝送システム及びソフトウェア情報伝送方法と、この方法を実施する機能を備えた受信端末に関する。
【０００２】
【従来の技術】
近年、自動車向けのサービスにあっては、ＧＰＳ（Ｇｌｏｂａｌ  Ｐｏｓｉｔｉｏｎｉｎｇ  Ｓｙｓｔｅｍ）衛星を利用したナビゲーションサービスに加え、例えばＥＴＣ（Ｅｌｅｃｔｒｏｎｉｃ  Ｔｏｌｌ  Ｃｏｌｌｅｃｔｉｏｎ）のように有料道路の料金徴収を自動化するサービスも開始されている。
【０００３】
ところで、各サービスを利用するためには、サービス毎の専用装置またはＣＤ−ＲＯＭ等の記録媒体が必要となる。このような場合従来では、例えばユーザがサービス提供者との間で希望のサービス毎に契約を結び、各サービス毎の専用装置または記録媒体を購入して使用するようにしている。
【０００４】
【発明が解決しようとする課題】
ところで、今後、多種多様なサービスが提供されることになると、ユーザからは各サービスの早急な取捨選択が求められるとともに、いつでもどこからでも利用できるサービスが求められることになる。このため、各サービスを利用するために、サービス毎の専用装置または記録媒体を購入しなければならないことは、新たなサービスを即時利用することができないばかりか、追加サービス自体の費用だけでなく専用装置または記録媒体の費用もかかってしまい、費用負担が大きくなる。
【０００５】
また、希望するサービスの数が増えると、自動車内においてサービス数分の専用装置の設置スペースが必要となる。このため、自動車自体の車種も変更せざるをえなくなり、ユーザにとっては多大な費用負担となる。
【０００６】
そこで、この発明の目的は、設置スペースを少なくでき、かつユーザの利便性の向上と、サービスの利用の拡大を図り得るソフトウェア情報伝送システム、ソフトウェア情報伝送方法及び受信端末を提供することにある。
【０００７】
【課題を解決するための手段】
この発明は、上記目的を達成するために、以下のように構成される。
【０００８】
（１）送信装置から移動体に搭載される受信端末へ、受信端末の機能に係わるソフトウェア情報を伝送するソフトウェア情報伝送システムであって、送信装置は、ソフトウェア情報の機能を前記受信端末にて識別するために必要な機能識別情報、前記ソフトウェア情報について一部情報／全情報を表すソフトウェア識別情報を含むヘッダ領域と、伝送すべき前記ソフトウェア情報を含む情報領域とを備えたパケット構造のダウンロードデータを前記受信端末へ伝送するようにしたものである。なお、送信装置は、ＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局であり、基地局は、無線通信エリア内に位置する受信端末からの要求に応じて、ダウンロードデータを要求元の受信端末へ伝送する。また、受信端末側では、受信したダウンロードデータのヘッダ領域中の機能識別情報及びソフトウェア識別情報をもとに、ソフトウェア情報を抽出し、このソフトウェア情報を機能の一部として組み込むようにした。
【０００９】
（１）の発明によれば、移動体に搭載された受信端末を使用して、無線通信エリアを介してソフトウェア情報のダウンロード要求を行うだけで、基地局から要求元の通信端末へとソフトウェア情報がダウンロードされるので、ソフトウェア情報を使用する機能を有していない受信端末に必要に応じてソフトウェア情報を使用する機能を持たせることが可能となる。このため、ユーザにとっては、１台の受信端末により希望のサービスを利用することができ、これにより移動体内において１台の受信端末の設置スペースを設けるだけでよい。また、ユーザにとっては自身の受信端末へのソフトウェア情報のダウンロードを短時間の内にしかも少ないコストで行うことが可能となり、これにより、いつでもどこからでもサービスを利用できるようになり、ユーザの利便性を向上できる。さらに、ソフトウェア情報の送信元では、ソフトウェア情報の情報量に応じて、ダウンロードデータのヘッダ領域に一部情報／全情報を表すソフトウェア識別情報を付加するようにしているので、移動体側では高速で移動中にも、ソフトウェア識別情報に基づいて途切れを起こすことなくソフトウェア情報をダウンロードすることができる。またソフトウェア情報の送信元となるサーバにとっては、基地局が切り替わるごとに、受信端末に対する制御をはじめからやり直す必要がなくなり、その分ソフトウェア情報のダウンロードに係わる制御負担を軽減することができる。
【００１０】
（２）送信装置は、受信端末へ放送信号を送信する放送局であり、放送局は、ダウンロードデータのヘッダ領域に、該ヘッダを識別するためのヘッダ識別情報、該ダウンロードデータのパケット総数を表すデータグループ情報をさらに付加し、かつ該ダウンロードデータを前記放送信号に多重して受信端末へ送信するようにしたものである。
【００１１】
（２）の発明によれば、放送局から受信端末へソフトウェア情報が放送信号に多重されて伝送されることになる。このため、上記（１）の発明と同様に、ソフトウェア情報を使用する機能を有していない受信端末に必要に応じてソフトウェア情報を使用する機能を持たせることが可能となる。しかも、放送エリア内において、放送局から常にソフトウェア情報が提供されることになるので、都度ユーザ側からダウンロード要求を送信することなく、簡単な手順で適切なソフトウェア情報のダウンロードを行い得る。
【００１２】
（３）送信装置として、ＤＳＲＣ（Ｄｅｄｉｃａｔｅｄ  Ｓｈｏｒｔ  Ｒａｎｇｅ  Ｃｏｍｍｕｎｉｃａｔｉｏｎ）方式の通信を行うために必要な無線通信エリアを形成する基地局と、受信端末へ放送信号を送信する放送局とを備え、受信端末は、所定の条件に従って、基地局から送信されるダウンロードデータを取得する第１の取得モード、及び放送局から送信され、ヘッダ領域に該ヘッダを識別するためのヘッダ識別情報、該ダウンロードデータのパケット総数を表すデータグループ情報をさらに付加したダウンロードデータを取得する第２の取得モードのうちの一方を選択的に実行するようにしたものである。
【００１３】
（３）の発明によれば、例えばエリアごとにソフトウェア情報の取得モードを設定しておくことで、あるエリアについてはダウンロード要求を送信して要求に応じたソフトウェア情報を取得し、一方別のエリアについては放送局により放送されるソフトウェア情報を取得するというように、エリアごとに最適なソフトウェア情報取得を行うことができる。
【００１４】
（４）ダウンロードデータに、該データの誤り訂正を行うための訂正情報が付加されている場合に、受信端末は、訂正情報に基づいて、ソフトウェア情報のダウンロードの誤りを判定する誤り判定手段と、この誤り判定手段により誤りが判定された場合に、ダウンロードデータの送信元に対しソフトウェア情報のダウンロード要求を再送するダウンロード要求再送手段と、このダウンロード要求再送手段により再送したダウンロード要求に対しダウンロードされるソフトウェア情報を受信する受信制御手段とを備えるようにしたものである。
【００１５】
（４）の発明によれば、ソフトウェア情報のダウンロードに誤りが生じると、受信端末から送信元に対しダウンロード要求が送信される。したがって、受信端末では、自主的にシステムのダウンロード処理が再開されることになり、これによりソフトウェア情報を迅速に取得することが可能となる。またソフトウェア情報の送信元となるサーバにとっては、ダウンロードを失敗した受信端末に対する制御をはじめからやり直す必要がなくなり、その分ソフトウェア情報のダウンロードに係わる制御負担を軽減することができる。
【００１６】
【発明の実施の形態】
以下、この発明の実施形態について図面を参照して詳細に説明する。
【００１７】
（第１の実施形態）
図１は、この発明の第１の実施形態に係わるソフトウェア情報ダウンロード方法を実施する機能を備えた通信システムの概略構成図である。
【００１８】
このシステムは、サービスエリアに分散配置されたＤＳＲＣ（Ｄｅｄｉｃａｔｅｄ  ＳｈｏｒｔＲａｎｇｅ  Ｃｏｍｍｕｎｉｃａｔｉｏｎ）方式の複数の基地局ＢＳを備えている。なお、同図では説明の簡単なため１つの基地局ＢＳのみを示している。基地局ＢＳはセルと呼ばれる無線エリアＥを形成し、この無線エリアＥ内に存在する通信端末（後述する）を搭載した自動車ＭＳ１〜ＭＳ３に対し無線チャネルを介して接続される。
【００１９】
また、基地局ＢＳは有線回線を介して通信交換局ＥＸに接続される。通信交換局ＥＸにはゲートウェイＧＷが接続されている。ゲートウェイＧＷは、インターネットＩＮＷ上に設けられたサーバＳＶとの間の接続と通信制御を行う。サーバＳＶは、各自動車ＭＳ１〜ＭＳ３に搭載された通信端末に対し、ソフトウェア情報をダウンロードするための機能を有する。
【００２０】
ところで、サーバＳＶは、図２に示すような構造のダウンロードデータを各自動車ＭＳ１〜ＭＳ３の通信端末に伝送する。
【００２１】
このダウンロードデータのフォーマットは、ＥＴＣの標準規格ＡＲＩＢ  ＳＴＤ−Ｔ５５  １．０版におけるＭＤＳ（Ｍｅｓｓａｇｅ  ｄａｔａ  ｓｌｏｔ）フォーマットに従っている。１パケットは８００ビットで構成され、それぞれのパケットには７２ビットのヘッダデータが付加されている。また、パケットの終わりには、１６ビットのＣＲＣ（誤り訂正）データ及び７２ビットのダミーデータが付加される。
【００２２】
ヘッダデータには、プリアンブル（１６ビット）及びユニークワード（１６ビット）と呼ばれる固定パターンの開始コードから始まり、モジュール識別（２ビット）、モジュール番号（４ビット）、パケット総数（１７ビット）、パケット番号（１７ビット）を含むデータが存在する。このモジュール識別は、部分ダウンロードデータかフルダウンロードデータかを識別するためのものである。モジュール番号は、部分ダウンロードデータ、フルダウンロードデータの機能に応じた番号である。パケット総数は、ダウンロードパケットの総数を示す。
【００２３】
図３は、アップリンク・データリクエストフォーマットを示すものである。希望のモジュールは、送信期間（ＡＬＬ“１”）の長さに応じてリクエストされる。なお、１ｍｓｅｃ期間はモジュール番号０に対応し、１ｍｓｅｃステップで３２種類のモジュールに対応する。
【００２４】
ところで、各自動車ＭＳ１〜ＭＳ３に搭載される通信端末１００Ａは例えば次のように構成される。図４はその機能構成を示すブロック図である。
【００２５】
基地局ＢＳから送信された無線周波信号は、アンテナ１で受信されたのちアンテナ共用器（ＤＵＰ）２を介して受信回路（ＲＸ）３に入力される。受信回路３は、上記無線周波信号が周波数シンセサイザ（ＳＹＮ）４から出力された受信局部発振信号とミキシングされて中間周波信号あるいはベースバンド信号に周波数変換される。なお、上記周波数シンセサイザ４から発生される受信局部発振信号の周波数は、制御部７からの制御信号ＳＹＣによって指示される。
【００２６】
上記受信中間周波信号またはベースバンド信号は、信号処理部６に入力される。信号処理部６は、入力された受信中間周波信号またはベースバンド信号から受信デジタルデータを再生する。この受信デジタルデータは、制御部７Ａに供給される。
【００２７】
制御部７Ａは、上記受信デジタルデータを記憶部８に格納するとともに、表示部９に表示させる。また必要に応じて、上記受信デジタルデータを外部インタフェースから図示しない携帯情報端末やノート型パーソナル・コンピュータ等のパーソナル・コンピュータへ出力する。
【００２８】
一方、送信時に、信号処理部６は、送信すべきデジタルデータを送信信号に変調し、この送信信号を送信回路（ＴＸ）５へ出力する。
【００２９】
送信回路５は、入力された送信信号を周波数シンセサイザ４から発生される送信局部発振信号と合成して無線周波信号に変換する。そして、送信回路５は、制御部７Ａにより通知される送信データレートに基づいて、上記無線周波信号の有効部分だけを高周波増幅し、送信無線周波信号として出力する。この送信回路５から出力された送信無線周波信号は、アンテナ共用器２を介してアンテナ１に供給され、このアンテナ１から基地局ＢＳへ向けて送信される。
【００３０】
入力部１０には、ダイヤルキーや発信キー、電源キー、終了キー、音量調節キー、モード指定キー等のキー群が設けられている。
【００３１】
ところで制御部７Ａは、記憶部８に格納されたプログラムや各種ソフトウェアに基づいて基本的な制御機能を実行するもので、その基本的な制御機能として、発着信に応じて無線接続制御を実行して、データ通信を可能にする通信制御機能や、インターネットに対しアクセスしてウエブページ等の情報を表示するブラウザ機能、システム選択制御機能、位置登録制御機能等を有している。
【００３２】
また、これらの基本制御機能に加え、この発明に係わる新たな機能として、ダウンロード要求送信制御機能７１と、ダウンロード実行制御機能７２と、リトライ制御機能７３とを備えている。
【００３３】
ダウンロード要求送信制御機能７１は、入力部１０により入力された要求情報に応じて、通信交換局ＥＸに対しダイヤルアップによりサーバＳＶとの間にデータ通信リンクを開設するための要求を行う。そして、サーバＳＶとの間にデータ通信リンクが開設されると、上記要求情報をダウンロード要求として送出する。また、上記要求情報を制御部７Ａ内のバッファ（図示せず）に保存する。
【００３４】
ダウンロード実行制御機能７２は、上記要求に応じてサーバＳＶからダウンロードされるソフトウェア情報を受信して記憶部１３に格納する。このとき、記憶部８には、ソフトウェア情報が、モジュール番号に対応付けて格納されることになる。
【００３５】
リトライ制御機能７３は、サーバＳＶからのダウンロードデータに付加されるＣＲＣデータに基づいて、ダウンロードの失敗あるいはデータ通信リンクのロスト等の誤りを判定する。そして、誤りが検出されると、リトライタイマ（図示せず）により指定されるタイミングに従い、バッファに保存しておいた要求情報に応じて、通信交換局ＥＸに対しサーバＳＶとの間のデータ通信リンクを開設するための要求を行い、以後サーバＳＶからダウンロードされるソフトウェア情報の受信動作を実行する。
【００３６】
次に、以上のように構成された通信システム及び通信端末のダウンロード実行機能の動作を説明する。
【００３７】
図５は通信端末１００Ａにおけるダウンロード時の処理手順と処理内容を示すフローチャートである。
【００３８】
メイン画面の案内に従い（ステップＳＴ５ａ）、アプリケーション選択メニューから「ＤＯＷＮ  ＬＯＡＤ」が選択されると（ステップＳＴ５ｂ）、制御部７Ａは無線ダウンロード画面を表示部９に表示する（ステップＳＴ５ｃ）。この無線ダウンロード画面の案内に従い、ソフトウェア情報のダウンロードに関する必要事項、つまりユーザＩＤ、要求モジュール名「ＥＴＣ」等が入力されると（ステップＳＴ５ｄ）、制御部７Ａはこれら入力情報を含むダウンロード要求を基地局ＢＳに向け送信する（ステップＳＴ５ｅ）。
【００３９】
続いて、制御部７Ａは、サーバＳＶから送られてくるコマンドをチェックし、受信コマンドがソフトウェア情報のダウンロードコマンドであるか否かの判定を行う（ステップＳＴ５ｆ）。ここで、ソフトウェア情報のダウンロードコマンドでなければ（ＮＯ）、制御部７Ａは表示部９に「ダウンロードできませんでした」というメッセージを表示し（ステップＳＴ５ｇ）、上記ステップＳＴ５ｃの処理に移行する。
【００４０】
これに対し、ソフトウェア情報のダウンロードコマンドであれば（ＹＥＳ）、制御部７Ａは表示部９にソフトウェア情報のダウンロード状態を表示する（ステップＳＴ５ｈ）。この表示期間中に、制御部７Ａは、ダウンロードコマンドに含まれるＣＲＣデータに基づいて、エラーパケットがあるか否かの判定を行う（ステップＳＴ５ｉ）。ここでエラーパケットを検出したならば（ＹＥＳ）、制御部７Ａはリトライタイマにより計時されるタイムを超えているか否かの判断を行い（ステップＳＴ５ｉ）、超えていなければ（ＮＯ）上記ステップＳＴ５ｈの処理に移行し、超えているならば（ＹＥＳ）上記ステップＳＴ５ｇの処理に移行する。
【００４１】
これに対し、エラーパケットが無く（ＮＯ）、ダウンロードが完了した場合に（ステップＳＴ５ｋ）、制御部７Ａはダウンロードされたソフトウェア情報を記憶部８に格納し（ステップＳＴ５ｌ）、別モジュールをダウンロードするか否かの判定を行う（ステップＳＴ５ｍ）。ここで、別モジュールをダウンロードする場合には（ＹＥＳ）、制御部７Ａは上記ステップＳＴ５ｄの処理に移行し、別モジュールをダウンロードしないならば（ＮＯ）、表示部９にダウンロード完了画面を表示し（ステップＳＴ５ｎ）、上記ステップＳＴ５ａの処理に移行する。
【００４２】
以後、通信端末１００Ａは、記憶部８に記憶されたソフトウェア情報に従い、ＥＴＣ等の希望のサービスを実行することが可能となる。
【００４３】
以上のように上記第１の実施形態では、自動車ＭＳ１〜ＭＳ３にそれぞれ搭載された通信端末１００Ａを使用して、無線エリアＥを介してソフトウェア情報のダウンロード要求を行うだけで、サーバＳＶから基地局ＢＳ経由で要求元の通信端末１００Ａへとソフトウェア情報がダウンロードされることになる。
【００４４】
従って上記第１の実施形態によれば、ソフトウェア情報を使用する機能を有していない通信端末１００Ａに必要に応じてソフトウェア情報を使用する機能を持たせることが可能となり、これによりＥＴＣなどの希望のサービスを利用することができる。また、ユーザにとっては、１台の通信端末１００Ａにより希望のサービスを利用することができ、これにより自動車ＭＳ１〜ＭＳ３内において１台の通信端末１００Ａの設置スペースを設けるだけでよい。さらに、ユーザにとっては自身の通信端末１００Ａへのソフトウェア情報のダウンロードを短時間の内にしかも少ないコストで行うことが可能となり、これにより、いつでもどこからでもサービスを利用できるようになり、ユーザの利便性を向上できる。
【００４５】
また、サーバＳＶにとっては、自動車ＭＳ１〜ＭＳ３に搭載された通信端末１００Ａに対しＤＳＲＣ方式の基地局ＢＳを介してソフトウェア情報を提供できる分、提供サービスへの加入者の促進を図ることが可能となる。
【００４６】
また、上記第１の実施形態では、ソフトウェア情報のダウンロードに誤りが生じると、通信端末１００ＡからサーバＳＶに対しダウンロード要求が送信される。したがって、通信端末１００Ａでは、自主的にシステムのダウンロード処理が再開されることになり、これによりソフトウェア情報を迅速に取得することが可能となる。またサーバＳＶにとっては、ダウンロードを失敗した通信端末１００Ａに対する制御をはじめからやり直す必要がなくなり、その分ソフトウェア情報のダウンロードに係わる制御負担を軽減することができる。
【００４７】
さらに、上記第１の実施形態では、サーバＳＶ側で、ソフトウェア情報の情報量に応じて、ダウンロードデータのヘッダに一部情報／全情報を表すモジュール識別情報を付加するようにしているので、自動車ＭＳ１〜ＭＳ３側では高速で移動中にも、モジュール識別情報に基づいて途切れを起こすことなくソフトウェア情報をダウンロードすることができる。またソフトウェア情報の送信元となるサーバＳＶにとっては、基地局ＢＳが切り替わるごとに、通信端末１００Ａに対する制御をはじめからやり直す必要がなくなり、その分ソフトウェア情報のダウンロードに係わる制御負担を軽減することができる。
【００４８】
（第２の実施形態）
図６は、この発明の第２の実施形態に係わるソフトウェア情報ダウンロード方法を実施する機能を備えた通信システムの概略構成図である。なお、図６において、上記図１と同一部分には同一符号を付して詳細な説明を省略する。
【００４９】
このシステムは、ＦＭ放送局ＦＭＳを備えている。ＦＭ放送局ＦＭＳは、放送サービスエリア内で、通信端末１００Ｂを搭載した自動車ＭＳ１に対し放送信号を送信する。また、ＦＭ放送局ＦＭＳは有線回線を介してゲートウェイＧＷに接続されている。
【００５０】
ところで、ＦＭ放送局ＦＭＳは、図７に示すような構造のダウンロードデータを放送信号に多重して自動車ＭＳ１の通信端末に伝送する。このとき、ソフトウェア情報のダウンロードデータが放送信号に多重されて伝送されることになる。
【００５１】
このダウンロードデータのフォーマットは、ＦＭ多重放送方式を基準としている。このダウンロードデータは、１パケットにおける伝送効率を上げるために、ヘッダ情報を２度に分けたフォーマットとし、２つのパケット（ヘッダＡ、ヘッダＢ）で１つのデータグループとして伝送される。各パケットの先頭にはブロック同期、フレーム同期用のブロック識別符号（ＢＩＣ１〜４）が付加される。また、パケットの終わりにはＣＲＣデータが付加される。
【００５２】
２種類のパケットは、図８に示すように、ヘッダＡ→ヘッダＢの順で送信されることになる。各パケットのダウンロードデータブロックを組み合わせたデータグループは、図９に示すように、２８８ビットであり、データグループ番号０からデータグループ総数分組み合わせてダウンロードデータが構成される。最終パケットにおいては、ファイルデータの終了を示すＥＯＢ（Ｅｎｄ  ｏｆ  ｂｉｔ）と、データ長調整用のダミービットが付加される。
【００５３】
ところで、上記自動車ＭＳ１に搭載される通信端末１００Ｂは例えば次のように構成される。図１０はその機能構成を示すブロック図である。なお、図１０において、上記図４と同一部分には同一符号を付し、詳細な説明を省略する。
【００５４】
ＦＭ放送局ＦＭＳから送信された放送信号は、アンテナ１で受信されたのちアンテナ共用器（ＤＵＰ）２を介して受信回路（ＲＸ）３に入力される。受信回路３は、上記放送信号が周波数シンセサイザ（ＳＹＮ）４から出力された受信局部発振信号とミキシングされて任意の放送チャネルの中間周波信号あるいはベースバンド信号に周波数変換される。なお、上記周波数シンセサイザ４から発生される受信局部発振信号の周波数は、制御部７Ｂからの制御信号ＳＹＣによって指示される。
【００５５】
上記受信中間周波信号またはベースバンド信号は、信号処理部６に入力される。信号処理部６は、入力された受信中間周波信号またはベースバンド信号をアナログ復調してアナログ受信信号を再生する。このアナログ受信信号は増幅器１１により増幅されたのちスピーカ１２から拡声出力される。
【００５６】
また、信号処理部６は、放送信号に多重化されているダウンロードデータを分離する。このダウンロードデータは、制御部７Ｂに送られ、このうちのソフトウェア情報が記憶部８に格納される。
【００５７】
ところで制御部７Ｂは、ダウンロードデータ受信制御機能７４を備えている。ダウンロードデータ受信制御機能７４は、上記ダウンロードデータを受信し、このダウンロードデータに含まれるソフトウェア情報を記憶部８に格納する。このとき、記憶部８には、ソフトウェア情報が、モジュール番号に対応付けて格納されることになる。
【００５８】
次に、以上のように構成された通信システム及び通信端末のダウンロード実行機能の動作を説明する。
【００５９】
図１１は通信端末１００Ｂにおけるダウンロード時の処理手順と処理内容を示すフローチャートである。
【００６０】
メイン画面の案内に従い（ステップＳＴ１１ａ）、アプリケーション選択メニューから「ＤＯＷＮ  ＬＯＡＤ」が選択されると（ステップＳＴ１１ｂ）、制御部７Ｂは無線ダウンロード画面を表示部９に表示する（ステップＳＴ１１ｃ）。この無線ダウンロード画面中の「ＯＫ」がクリックされると、制御部７Ｂはソフトウェア情報のダウンロードを実行する（ステップＳＴ１１ｄ）。
【００６１】
続いて、制御部７Ｂは、ＦＭ放送局ＦＭＳから送られてくるコマンドをチェックし、受信コマンドがソフトウェア情報のダウンロードコマンドであるか否かの判定を行う（ステップＳＴ１１ｅ）。ここで、ソフトウェア情報のダウンロードコマンドでなければ（ＮＯ）、制御部７Ｂは表示部９に「ダウンロードできませんでした」というメッセージを表示し（ステップＳＴ１１ｆ）、上記ステップＳＴ１１ｃの処理に移行する。
【００６２】
これに対し、ソフトウェア情報のダウンロードコマンドであれば（ＹＥＳ）、制御部７Ｂは表示部９にソフトウェア情報のダウンロード状態を表示する（ステップＳＴ１１ｇ）。この表示期間中に、制御部７Ｂは、ダウンロードコマンドに含まれるＣＲＣデータに基づいて、エラーパケットがあるか否かの判定を行う（ステップＳＴ１１ｈ）。ここでエラーパケットを検出したならば（ＹＥＳ）、制御部７Ｂはリトライタイマにより計時されるタイムを超えているか否かの判断を行い（ステップＳＴ１１ｉ）、超えていなければ（ＮＯ）上記ステップＳＴ１１ｇの処理に移行し、超えているならば（ＹＥＳ）上記ステップＳＴ１１ｆの処理に移行する。
【００６３】
これに対し、エラーパケットが無く（ＮＯ）、ダウンロードが完了した場合に（ステップＳＴ１１ｊ）、制御部７Ｂはダウンロードされたソフトウェア情報を記憶部８に格納し（ステップＳＴ１１ｋ）、別モジュールをダウンロードするか否かの判定を行う（ステップＳＴ１１ｌ）。ここで、別モジュールをダウンロードする場合には（ＹＥＳ）、制御部７Ｂは上記ステップＳＴ１１ｄの処理に移行し、別モジュールをダウンロードしないならば（ＮＯ）、表示部９にダウンロード完了画面を表示し（ステップＳＴ１１ｍ）、上記ステップＳＴ１１ａの処理に移行する。
【００６４】
以後、通信端末１００Ｂは、記憶部８に記憶されたソフトウェア情報に従い、ＥＴＣ等の希望のサービスを実行することが可能となる。
【００６５】
以上のように上記第２の実施形態では、ＦＭ放送局ＦＭＳから自動車ＭＳ１の通信端末１００Ｂへソフトウェア情報がＦＭ放送信号に多重されて伝送されることになる。このため、上記第１の実施形態と同様に、ソフトウェア情報を使用する機能を有していない通信端末１００Ｂに必要に応じてソフトウェア情報を使用する機能を持たせることが可能となる。しかも、ＦＭ放送エリア内において、ＦＭ放送局ＦＭＳから常にソフトウェア情報が提供されることになるので、都度ユーザ側からダウンロード要求を送信することなく、簡単な手順で適切なソフトウェア情報のダウンロードを行うことが可能になる。
【００６６】
また、この第２の実施形態によれば、ＦＭ放送局ＦＭＳの放送サービスエリアが基地局ＢＳが形成する無線通信エリアＥよりも広いエリアをカバーするので、多数の基地局を設置しなくて済む分、設備投資を大幅に低減できる。
【００６７】
（第３の実施形態）
図１２は、この発明の第３の実施形態に係わるソフトウェア情報ダウンロード方法を実施する機能を備えた通信システムの概略構成図である。なお、図１２において、上記図１と同一部分には同一符号を付して詳細な説明を省略する。
【００６８】
各自動車ＭＳ１〜ＭＳ３に搭載された通信端末１００Ｃは、モード切替により、基地局ＢＳから到来するダウンロードデータ及びＦＭ放送局ＦＭＳから放送されるダウンロードデータを選択的に受信する。
【００６９】
ところで、上記自動車ＭＳ１〜ＭＳ３に搭載される通信端末１００Ｃは例えば次のように構成される。図１３はその機能構成を示すブロック図である。なお、図１３において、上記図４及び図１０と同一部分には同一符号を付し、詳細な説明を省略する。
【００７０】
すなわち、この第３の実施形態の制御部７Ｃは、ダウンロード要求送信制御機能７１と、ダウンロード実行制御機能７２と、リトライ制御機能７３と、ダウンロードデータ受信制御機能７４と、モード切替制御機能７５とを備えている。
【００７１】
モード切替制御機能７５は、所定の条件に従って、基地局ＢＳから送信されるダウンロードデータを取得する第１の取得モード、及びＦＭ放送局ＦＭＳから送信されるダウンロードデータを取得する第２の取得モードのうちの一方を選択的に切り替える。なお、所定の条件としては、ユーザによる指定操作またはＦＭ放送により放送される放送番組情報を使用するものとする。
【００７２】
次に、以上のように構成された通信システム及び通信端末のダウンロード実行機能の動作を説明する。
【００７３】
図１４は通信端末１００Ｃにおけるダウンロード時の処理手順と処理内容を示すフローチャートである。
【００７４】
メイン画面の案内に従い（ステップＳＴ１４ａ）、アプリケーション選択メニューから「ＤＯＷＮ  ＬＯＡＤ」が選択されると（ステップＳＴ１４ｂ）、制御部７Ｃは無線ダウンロード画面を表示部９に表示する（ステップＳＴ１４ｃ）。
【００７５】
続いて制御部７Ｃ、基地局ＢＳからのダウンロードデータを取得する第１の取得モードまたはＦＭ放送局ＦＭＳがからのダウンロードデータを取得する第１の取得モードが指定されているか否かの判断を行う（ステップＳＴ１４ｄ）。ここで、第１の取得モードが指定され（高速）、無線ダウンロード画面の案内に従い、ソフトウェア情報のダウンロードに関する必要事項、つまりユーザＩＤ、要求モジュール名「ＥＴＣ」等が入力されると（ステップＳＴ１４ｅ）、制御部７Ｃはこれら入力情報を含むダウンロード要求を基地局ＢＳに向け送信する（ステップＳＴ１４ｆ）。
【００７６】
続いて、制御部７Ｃは、サーバＳＶから送られてくるコマンドをチェックし、受信コマンドがソフトウェア情報のダウンロードコマンドであるか否かの判定を行う（ステップＳＴ１４ｇ）。ここで、ソフトウェア情報のダウンロードコマンドでなければ（ＮＯ）、制御部７Ｃは表示部９に「ダウンロードできませんでした」というメッセージを表示し（ステップＳＴ１４ｈ）、上記ステップＳＴ１４ｃの処理に移行する。
【００７７】
これに対し、ソフトウェア情報のダウンロードコマンドであれば（ＹＥＳ）、制御部７Ｃは表示部９にソフトウェア情報のダウンロード状態を表示する（ステップＳＴ１４ｉ）。この表示期間中に、制御部７Ｃは、ダウンロードコマンドに含まれるＣＲＣデータに基づいて、エラーパケットがあるか否かの判定を行う（ステップＳＴ１４ｊ）。ここでエラーパケットを検出したならば（ＹＥＳ）、制御部７Ｃはリトライタイマにより計時されるタイムを超えているか否かの判断を行い（ステップＳＴ１４ｋ）、超えていなければ（ＮＯ）上記ステップＳＴ１４ｉの処理に移行し、超えているならば（ＹＥＳ）上記ステップＳＴ１４ｈの処理に移行する。
【００７８】
これに対し、エラーパケットが無く（ＮＯ）、ダウンロードが完了した場合に（ステップＳＴ１４ｌ）、制御部７Ｃはダウンロードされたソフトウェア情報を記憶部８に格納し（ステップＳＴ１４ｍ）、別モジュールをダウンロードするか否かの判定を行う（ステップＳＴ１４ｎ）。ここで、別モジュールをダウンロードする場合には（ＹＥＳ）、制御部７Ｃは上記ステップＳＴ１４ｄの処理に移行し、別モジュールをダウンロードしないならば（ＮＯ）、表示部９にダウンロード完了画面を表示し（ステップＳＴ１４ｏ）、上記ステップＳＴ１４ａの処理に移行する。
【００７９】
なお、上記ステップＳＴ１４ｄにおいて、第２の取得モードが指定され、無線ダウンロード画面中の「ＯＫ」がクリックされた場合（低速）、制御部７Ｃはソフトウェア情報のダウンロードを実行する。
【００８０】
以後、通信端末１００Ｃは、記憶部８に記憶されたソフトウェア情報に従い、ＥＴＣ等の希望のサービスを実行することが可能となる。
【００８１】
以上のように上記第３の実施形態によれば、例えばエリアごとにダウンロードデータの取得モードを設定しておくことで、あるエリアについては基地局ＢＳに向けてダウンロード要求を送信して要求に応じたソフトウェア情報を取得し、一方別のエリアについてはＦＭ放送局ＦＭＳにより放送されるダウンロードデータを取得するというように、エリアごとに最適なダウンロードデータ取得を行うことができる。
【００８２】
この取得モードの切替条件としては、通信端末１００ＣのユーザがＦＭ放送局ＦＭＳから放送されるＦＭ放送番組を視聴している場合に、ＦＭ放送番組中に含まれている切替情報に応じて、基地局ＢＳを利用する第１の取得モードからＦＭ放送局ＦＭＳにより放送されるダウンロードデータを取得する第２の取得モードに切り替えられるようにする。このようにすれば、例えばＦＭ放送番組中で提供される独自のサービスを実行でき、これによりサービスの加入者の促進を図ることもできる。また、ＦＭ放送番組以外にも、例えばＧＰＳ衛星から送られてくる位置情報に応じて、第１の取得モードから第２の取得モードに切り替えるようにすることもできる。
【００８３】
なお、上記第３の実施形態では、第１の取得モードから第２の取得モードに切り替える例について説明したが、逆にトンネル内や山間部に入った場合には、第２の取得モードから第１の取得モードに切り替えるようにしてもよい。
【００８４】
（その他の実施形態）
なお、この発明は各実施形態に限定されるものではない。例えば、上記第１及び第２の実施形態では、高速道路に使用されているＤＳＲＣ方式の基地局ＢＳを使用する例について説明したが、これに限らず、例えば自動車に搭載された通信端末に対し高速通信が可能な基地局であればよい。
【００８５】
また、ＦＭ放送以外の放送信号にダウンロードデータを多重して通信端末に伝送するようにしてもよい。
【００８６】
その他、通信端末の種類や構成、自動車といった移動体の種類、通信システムの構成、ソフトウェア情報のダウンロード手順や処理内容についても、この発明の要旨を逸脱しない範囲で種々変形して実施できる。
【００８７】
【発明の効果】
以上詳述したようにこの発明によれば、設置スペースを格段と少なくでき、かつユーザの利便性の向上と、サービスの利用の拡大を図り得るソフトウェア情報伝送システム、ソフトウェア情報伝送方法及び受信端末を提供することができる。
【図面の簡単な説明】
【図１】この発明の第１の実施形態に係わるソフトウェア情報ダウンロード方法を実施する機能を備えた通信システムの概略構成図。
【図２】同第１の実施形態におけるダウンロードデータの構造を示す図。
【図３】同第１の実施形態におけるアップリンク・データリクエストフォーマットを示す図。
【図４】図１に示した自動車に搭載される通信端末の機能構成を示すブロック図。
【図５】図４に示した通信端末におけるダウンロード時の処理手順と処理内容を示すフローチャート。
【図６】この発明の第２の実施形態に係わるソフトウェア情報ダウンロード方法を実施する機能を備えた通信システムの概略構成図。
【図７】同第２の実施形態におけるダウンロードデータの構造を示す図。
【図８】同第２の実施形態におけるダウンロードデータの多重構造を示す図。
【図９】同第２の実施形態におけるダウンロードデータのデータグループの構造を示す図。
【図１０】図６に示した自動車に搭載される通信端末の機能構成を示すブロック図。
【図１１】図１０に示した通信端末におけるダウンロード時の処理手順と処理内容を示すフローチャート。
【図１２】この発明の第３の実施形態に係わるソフトウェア情報ダウンロード方法を実施する機能を備えた通信システムの概略構成図。
【図１３】図１２に示した自動車に搭載される通信端末の機能構成を示すブロック図。
【図１４】図１３に示した通信端末におけるダウンロード時の処理手順と処理内容を示すフローチャート。
【符号の説明】
１…アンテナ、
２…アンテナ共用器（ＤＵＰ）、
３…受信回路（ＲＸ）、
４…周波数シンセサイザ、
５…送信回路（ＴＸ）、
６…信号処理部、
７Ａ，７Ｂ，７Ｃ…制御部、
８…記憶部、
９…表示部、
１０…入力部、
１１…増幅器、
１２…スピーカ、
７１…ダウンロード要求送信制御機能、
７２…ダウンロード実行制御機能、
７３…リトライ制御機能、
７４…ダウンロードデータ受信制御機能、
７５…モード切替制御機能、
１００Ａ〜１００Ｃ…通信端末、
ＢＳ…基地局、
ＥＸ…通信交換局、
Ｅ…無線エリア、
ＩＮＷ…インターネット、
ＭＳ…自動車、
ＳＶ…サーバ。
【図１】
2004153658.tif 000003
【図２】
2004153658.tif 000004
【図３】
2004153658.tif 000005
【図４】
2004153658.tif 000006
【図５】
2004153658.tif 000007
【図６】
2004153658.tif 000008
【図７】
2004153658.tif 000009
【図８】
2004153658.tif 000010
【図９】
2004153658.tif 000011
【図１０】
2004153658.tif 000012
【図１１】
2004153658.tif 000013
【図１２】
2004153658.tif 000014
【図１３】
2004153658.tif 000015
【図１４】
2004153658.tif 000016